(57)【特許請求の範囲】
【請求項１】
水の電気分解により水素を製造する水素製造部と、
前記水素を貯蔵する水素貯蔵部と、
前記水素貯蔵部に貯蔵された水素を用いて発電する水素発電部と、
前記水素製造部における電解電圧の上昇率、水素製造量、入力電力、入力電圧、入力電流、供給された水量、発生した熱量、及び、負荷割合の内の、少なくとも当該電解電圧の上昇率が含まれる情報、及び前記水素貯蔵部における水素放出量の比率、水素貯蔵量、水素放出量、及び負荷割合と、前記水素発電部における発電電力の低下率、発電電力、及び負荷割合との内の少なくとも前記水素放出量の比率及び前記低下率が含まれる情報を時系列に記録する記録部と、
前記記録部に記録される情報に応じて、前記水素製造部、前記水素貯蔵部、及び前記水素発電部の内の少なくともいずれかの制御状態を変更する制御部と、
を備え、
前記制御部は、前記水素製造部における電解電圧の上昇率が予め定めた保護条件に対応する場合に、前記水素製造部に供給する単位時間あたりの電力を増加させ、
前記水素貯蔵部における水素放出量の比率が予め定めた保護条件に対応する場合に、前記水素貯蔵部に供給する単位時間あたりの電流を増加させ、
前記水素発電部における前記発電電力の低下率が予め定めた保護条件に対応する場合に、前記水素発電部に供給する単位時間あたりの水素量を増加させる制御を行い、
前記記録部に記録される情報のいずれかが予め定めた安全条件に対応する場合に、前記水素製造部の水素製造、及び前記水素発電部の内の少なくとも一方を停止させる制御を行う、水素エネルギーシステム。
【請求項２】
前記記録部に記録される情報には、所定電圧又は所定電力を前記水素製造部に供給するテスト期間内のデータ、及び前記水素製造部において入力電力に対する水素製造量の調整を行う試運転期間内のデータが含まれる、請求項１に記載の水素エネルギーシステム。
【請求項３】
前記水素発電部の発電電力を補う電池部と、
前記水素製造部で製造した酸素を貯蔵する酸素貯蔵部と、
を更に備え、
前記記録部は、
前記電池部における発電電力の低下率、前記電池部の発電電力、前記酸素貯蔵部に貯蔵されている酸素の量、前記酸素貯蔵部に供給された酸素の量及び前記酸素貯蔵部が供給した酸素の量の内の少なくとも一つを更に記録する、請求項１に記載の水素エネルギーシステム。
【請求項４】
前記水素製造部及び前記水素発電部は、単一の水電解／発電可逆部で構成される、請求項１に記載の水素エネルギーシステム。
【発明の詳細な説明】
【技術分野】
【０００１】
本発明の実施形態は、水素エネルギーシステム、水素エネルギーシステムの制御方法、及びプログラムに関する。
【背景技術】
【０００２】
水素を用いて電力の需給調整や変動抑制を行う水素エネルギーシステムが知られている。この水素エネルギーシステムでは、電力を用いた水素製造部により水素が生成され、水素貯蔵部に貯蔵される。この水素貯蔵部に貯蔵された水素は、水素発電部により再び電力に変換される。このため、電力供給源における電力の需給に合わせ、電力供給源から電力の供給を受けることも、電力供給源に電力を供給することも可能である。この水素製造部には、例えば水電解セルが用いられ、水素発電部には、例えば燃料電池セルが用いられている。【０００３】
ところが、セル材料などは、電気化学反応による継時的な劣化が生じてしまう。また、水素貯蔵に関しても、水素吸蔵合金やその他の水素化物を利用する場合には、同様に継時的な劣化が想定される。よって、これらの特性変化を考慮しない場合に、水素エネルギーシステムの効率的な運転が困難になってしまう恐れがある。
【先行技術文献】
【特許文献】
【０００４】
【特許文献１】特開２００２−３７２１９９号公報
【発明の概要】
【発明が解決しようとする課題】
【０００５】
本発明が解決しようとする課題は、システムの特性を示す情報を時系列に記録可能な水素エネルギーシステムを提供することである。
【課題を解決するための手段】
【０００６】
本実施形態に係る水素エネルギーシステムは、水の電気分解により水素と酸素とを製造する水素製造部と、水素製造部の特性を示す情報を時系列に記録する記録部と、を備える。
【発明の効果】
【０００７】
本実施形態によれば、水素製造部の特性を示す情報を時系列に記録することができる。
【図面の簡単な説明】
【０００８】
【図１】一実施形態に係る水素エネルギーシステムの構成を示すブロック図。
【図２】一実施形態に係る水素エネルギーシステムの別の構成を示すブロック図。
【図３】水素エネルギー制御部の構成を示すブロック図。
【図４】水素エネルギーシステムの試運転期間における水素製造部の運転特性を示す図。
【図５】テスト期間の頻度を示す図。
【発明を実施するための形態】
【０００９】
以下、図面を参照して、本発明の実施形態における水素エネルギーシステム及びその制御方法について説明する。
【００１０】
（一実施形態）
一実施形態に係る水素エネルギーシステムは、システムの特性を示す情報を時系列に記録することで、水素エネルギーシステムの性能提示を容易化しようとしたものである。より詳しく、以下に説明する。
【００１１】
図１に基づき、一実施形態に係る水素エネルギーシステム１の全体構成を説明する。図１は、一実施形態に係る水素エネルギーシステム１の構成を示すブロック図である。この図１に示すように、本実施形態に係る水素エネルギーシステム１は、システムに関する情報の記録が可能であり、水素エネルギー制御部１００と、水管理部１０２と、熱管理部１０４と、水素製造部１０６と、酸素貯蔵部１０８と、水素貯蔵部１１０と、水素発電部１１２と、電池部１１４とを、備えて構成されている。
【００１２】
水素エネルギー制御部１００は、水素エネルギーシステム１に関する制御を行う。また、水素エネルギー制御部１００は、水素エネルギーシステム１に関する情報の記録を行い、記録した情報に応じて水素エネルギーシステム１に関する制御を行うことが可能である。すなわち、水素エネルギー制御部１００は、水管理部１０２と、熱管理部１０４と、水素製造部１０６と、酸素貯蔵部１０８と、水素貯蔵部１１０と、水素発電部１１２と、電池部１１４とに接続され、水素エネルギーシステム１に関する制御を行う。より詳細な構成に関しては、後述する。
【００１３】
水管理部１０２は、水素エネルギー制御部１００の制御に従い、外部の水供給源２から供給された水を水素製造部１０６に供給する。すなわち、この水管理部１０２は、外部の水供給源２と、水素製造部１０６と、水素発電部１１２とに水管を介して連通しており、この水管を介して水を水素製造部１０６に供給する。また、水管理部１０２は、水供給源２に水を供給することも可能である。このように、水管理部１０２は、水素製造部１０６に供給する水の管理を行う。
【００１４】
熱管理部１０４は、水素エネルギー制御部１００の制御に従い、外部の熱供給源４との間で熱を水素製造部１０６及び水素発電部１１２に移送する。すなわち、この熱管理部１０４は、外部の熱供給源４と、水素製造部１０６と、水素発電部１１２とに熱媒体管を介して連通しており、この熱媒体管を介して熱を水素製造部１０６及び水素発電部１１２に移送する。また、水素製造部１０６が吸熱になる場合には、熱媒体管を介して水素製造部１０６へ熱を供給する。同様に、水素発電部１１２が高温になる場合には、熱媒体管を介して水素発電部１１２で発生した熱を吸収する。このように、熱管理部１０４は、水素製造部１０６及び水素発電部１１２の熱管理を行う。さらに、水素貯蔵部１１０、酸素貯蔵部１０８、電池部１１４、水管理部１０２に対しても熱授受を行う場合がある。
【００１５】
水素製造部１０６は、水の電気分解により水素と酸素とを製造する。例えば、水素製造部１０６は、アルカリ性の溶液に電流を流すことにより、水素と酸素とを製造する水電解セルで構成される。すなわち、この水素製造部１０６は、水配管を介して水管理部１０２と連通し、水素配管を介して水素貯蔵部１１０と連通し、酸素配管を介して酸素貯蔵部１０８及び外部の酸素供給源６と連通している。これにより、水素製造部１０６は、電力供給源８から供給された電力を用いて、水管理部１０２から供給された水の電気分解により水素と酸素とを製造する。そして、水素製造部１０６は、製造した水素を水素貯蔵部１１０に供給し、酸素を酸素貯蔵部１０８及び外部の酸素供給源６の少なくともいずれかに供給する。
【００１６】
より詳細には、水素製造部１０６は、水素エネルギー制御部の制御に従い水の電気分解を行い、水素と酸素とを製造する。また、水素製造部１０６は、水素製造部１０６における電解電圧の上昇率、水素製造量、入力電圧、入力電力、供給された水量、及び発生した熱量を時系列に水素エネルギー制御部１００に出力する。
【００１７】
ここで、電解電圧の上昇率は、水素製造部１０６の特性を示す評価値の一つである。水素製造部１０６は、劣化が進むに従い、基準水素量を製造するために必要な、単位時間あたりの電解電圧が上昇する。すなわち、ここでの電解電圧の上昇率は、単位時間あたりに基準水素量を製造するために必要な電解電圧の上昇率を意味する。このため、電解電圧の上昇率は、例えば（現時点における基準水素量を製造するために必要な電解電圧）を（基準時点における基準水素量を製造するために必要な電解電圧）で除算した値として演算される。このように、電解電圧の上昇率により、水素製造部１０６における劣化特性を数値化可能である。ここでの基準時点は、例えば水素製造部１０６が水素エネルギーシステム１内で運転を開始した時点である。また、電解電圧の上昇率は、例えば１０００時間単位の上昇率に換算され、計算される。このため、単位には「パーセント／１０００ｈ」が一般に用いられている。また、水素製造部１０６は、例えば、後述するテスト期間に得られた情報に基づいて、電解電圧の上昇率を演算する。
【００１８】
また、水素製造部１０６への入力電力は、入力電圧、すなわち電解電圧と、入力電流との積である。更に、この入力電流は、水素製造部１０６における水素製造量に比例する。これから分かる様に、入力電力と入力電流との組み合わせ、又は、入力電圧と入力電流の組み合わせにより、電解電圧、及び水素製造量の情報を得ることが可能である。
【００１９】
酸素貯蔵部１０８は、水素製造部１０６により製造された気体の酸素を貯蔵し、貯蔵した酸素を水素発電部１１２に供給する。この酸素貯蔵部１０８は、例えば酸素タンクであり、水素製造部１０６と、外部の酸素供給源６と、水素発電部１１２とに酸素配管を介して連通している。より詳細には、酸素貯蔵部１０８は、水素エネルギー制御部１００の制御に従い、水素製造部１０６、及び外部の酸素供給源６の少なくともいずれかから供給された酸素を貯蔵し、貯蔵した酸素を水素発電部１１２に供給する。これから分かる様に、酸素貯蔵部１０８に蓄えられている酸素の量は、水素製造部１０６、及び外部の酸素供給源６から供給された酸素の量と、水素発電部１１２に供給した酸素の量との差に応じて変動する。また、酸素貯蔵部１０８は、供給される酸素の量、貯蔵している酸素の量、及び供給した酸素の量を時系列に水素エネルギー制御部１００に出力する。
【００２０】
水素貯蔵部１１０は、水素製造装置により製造された水素を貯蔵する。水素貯蔵部１１０は、例えば、水素吸蔵合金を用いた水素タンクで構成され、水素製造部１０６と、水素発電部１１２とに水素配管を介して連通している。より詳細には、水素貯蔵部１１０は、水素エネルギー制御部１００の制御に従い、水素製造部１０６から供給された水素を貯蔵し、貯蔵した水素を水素発電部１１２に供給する。これから分かる様に、水素貯蔵部１１０に蓄えられる水素の量は、水素製造部１０６から供給される水素の量と、水素発電部１１２に供給する水素量との差に応じて変動する。
【００２１】
また、水素貯蔵部１１０は、水素放出量の比率、供給された水素の量、貯蔵している水素の量、及び供給した水素の量を時系列に水素エネルギー制御部１００に出力する。さらにまた、水素吸蔵合金を用いた水素タンクでは、水素吸蔵合金を加熱することで、水素が放出される。このため、基準熱量あたりの水素放出量の比率を、水素貯蔵部１１０の特性を示す評価値とすることが可能である。例えば、基準熱量あたりの水素放出量の比率は、（単位質量あたりの吸蔵水素量）を（単位質量あたりの放出水素量）で除算した値を、更に（水素吸蔵合金への印加電流の値）で除算した値として演算される。このように、基準熱量あたりの水素の放出量の比率により、水素貯蔵部１１０における劣化特性を数値化可能である。水素貯蔵部１１０は、例えば後述するテスト期間に得られた情報に基づいて、水素放出量の比率を演算する。
【００２２】
水素発電部１１２は、水素と酸素とを用いて、電力を生成し、外部の電力供給源８に出力する。この電力の生成に伴い発生する水は、水管理部１０２に供給される。水素発電部１１２は、例えば、燃料電池セルで構成されている。すなわち、水素発電部１１２は、水素エネルギー制御部１００の制御に従い、水素貯蔵部１１０から供給される水素と、酸素貯蔵部１０８又は外部の酸素供給源６から供給される酸素を用いて電気を発電すると共に、水及び熱を生成する。なお、水素発電部１１２は、例えば固体酸化物形燃料電池、又は固体高分子形燃料電池で構成してもよい。
【００２３】
また、水素発電部１１２は、基準水素量あたりの電発電力の低下率、発電電力、発熱量、及び水の生成量を水素エネルギー制御部１００に出力する。ここで、基準水素量あたりの電発電力の低下率を、水素発電部１１２の特性を示す評価値とすることが可能である。すなわち、水素発電部１１２は、劣化が進むに従い、基準水素量あたりの発電電力が低下する。このため、基準水素量あたりの発電電力の低下率は、例えば（現時点における基準水素量あたりの発電力）を（基準時点における基準水素量あたりの発電力）で除算した値として演算される。このように、発電電力の低下率により、水素発電部１１２における劣化特性を数値化可能である。ここでの基準時点は、例えば水素発電部１１２が水素エネルギーシステム１内で運転を開始した時点である。また、発電電力の低下率は、例えば１０００時間単位での低下率に換算され、計算される。このため、単位には「パーセント／１０００ｈ」が一般に用いられている。例えば、水素発電部１１２は、後述するテスト期間に得られた情報に基づいて、発電電力の低下率を演算する。
【００２４】
電池部１１４は、例えば蓄電池であり、水素製造部１０６への入力電力を制御して蓄電し、水素発電部１１２の発電電力が不足する場合に、電力供給源８への供給電力を補う。これにより、水素発電部１１２の電力供給をより安定的に行うことが可能である。電池部１１４は、発電電力の低下率、及び発電電力を水素エネルギー制御部１００に出力する。電池部１１４における発電電力の低下率は、例えば（現時点における発電電力）を（基準時点における発電電力）で除算した値として演算される。
【００２５】
図２は、一実施形態に係る水素エネルギーシステム１の別の構成を示すブロック図である。図１で示す水素エネルギーシステム１においては、水素製造装置と水素発電装置とがそれぞれ設けられていたが、図２で示す水素エネルギーシステム１においては、水素製造と水素発電とを単一の水電解／発電可逆部１１６で行うことで相違する。すなわち、水電解／発電可逆部１１６は、水素製造部及び水素発電部が単一の装置内に構成される可逆装置である。この図１で示す水素エネルギーシステム１の構成と同等の構成には同一の番号を付して説明を省略する。
【００２６】
図３は、水素エネルギー制御部の構成を示すブロック図で有り、この図３に基づき、水素エネルギー制御部の詳細な構成を説明する。水素エネルギー制御部１００は、水管理部１０２、熱管理部１０４、水素製造部１０６、酸素貯蔵部１０８、水素貯蔵部１１０、水素発電部１１２、及び電池部１１４から取得した情報に応じて、水素エネルギーシステム１の制御特性を変更する。すなわち、この水素エネルギー制御部は、例えばコンピュータであり、記憶部１１８と、取得部１２０と、演算部１２２と、運転履歴記録部１２４と、制御部１２６とを、備えて構成されている。
【００２７】
記憶部１１８は、水素エネルギー制御部にて行われる各処理機能をコンピュータによって実行可能なプログラム形態で、記憶している。また、記憶部１１８は、磁気的もしくは光学的記録媒体または半導体メモリなどの、読み取り可能な記録媒体を含んだ構成を有している。
【００２８】
取得部１２０は、水素製造に関する情報を取得する。すなわち、上述のように水管理部１０２、熱管理部１０４、水素製造部１０６、酸素貯蔵部１０８、水素貯蔵部１１０、水素発電部１１２、及び電池部１１４などから水素製造に関する情報を取得する。
【００２９】
演算部１２２は、水管理部１０２、熱管理部１０４、水素製造部１０６、酸素貯蔵部１０８、水素貯蔵部１１０、水素発電部１１２、及び電池部１１４それぞれの規定された最大能力に対して、実際に稼働している負荷割合のデータを演算する。この負荷割合の経過を観察することでも、各装置の劣化特性を把握可能である。例えば、負荷割合の時間積算値を、各装置の劣化特性を示す評価値にしてもよい。
【００３０】
また、演算部１２２は、取得部１２０で取得した情報に基づき、上述の各評価値を演算してもよい。すなわち、演算部１２２は、例えば後述するテスト期間に得られた情報に基づき、電解電圧の上昇率、基準熱量あたりの水素の放出量の比率、基準水素量あたりの発電電力の低下率などを演算してもよい。
【００３１】
運転履歴記録部１２４は、取得部１２０で取得された情報及び演算部１２２で演算された演算結果などを記録する。すなわち、この運転履歴記録部１２４は、水素製造部１０６における電解電圧の上昇率、水素製造量、入力電力、入力電圧、入力電流、供給された水量、発生した熱量、及び、負荷割合を、例えば時系列に記録する。また、運転履歴記録部１２４は、水素貯蔵部１１０における水素放出量の比率、水素貯蔵量、水素放出量、水素貯蔵部１１０の負荷割合、水素発電部１１２における発電電力の低下率、発電電力、水素発電部１１２の負荷割合を、例えば時系列に記録する。なお、運転履歴記録部１２４は、これらのデータの内の少なくとも一つを含むように記録してもよい。また、本実施形態における運転履歴記録部１２４が記録部に対応する。
【００３２】
水素エネルギーシステム１の商取引において性能提示する場合には、対象システムがどのような運転履歴を持ったものか、明示されることが望ましい。また、運用途中においても、継時特性変化を考慮した効率的な運転を行うために、運転履歴を把握することが望ましいのである。このため、運転履歴記録部１２４に記録した情報を提示することで、水素エネルギーシステム１における性能提示が容易になる。これにより、水素エネルギーシステム１の商取引において顧客へより高価値の情報を提供することが可能である。
【００３３】
制御部１２６は、取得部１２０で得られた情報及び演算部１２２で演算された情報のうちのいずれかに応じて、水素エネルギーシステム１の制御を行う。例えば、制御部１２６は、水素エネルギーシステム１の特性を示す上述の評価値のいずれかが、評価値毎に予め定めた保護条件に対応する場合に、水素エネルギーシステム１の制御特性を変更する。より具体的には、制御部１２６は、電解電圧の上昇率が所定値を超えた場合に、水素製造部１０６の起動時時間を、所定値を超えない場合より長くする。これにより、水素製造部１０６にかかる電気的な負荷を抑制でき、水素製造部１０６の使用寿命を長くすることが可能である。また、制御部１２６は、電解電圧の上昇率に応じて、水素製造部１０６に供給する単位時間あたりの電力を増加させる制御を行う。これにより、水素製造部１０６の特性に応じた効率的な運転が可能になる。
【００３４】
また、制御部１２６は、例えば発電電力の低下率が所定値を超えた場合に、発電電力の低下率が所定値を超えない場合よりも水素発電部１１２に供給する単位時間あたりの水素量を増加させる制御を行う。これにより、水素発電部１１２の特性に応じた効率的な運転が可能になる。
【００３５】
さらにまた、制御部１２６は、例えば基準熱量あたりの水素の放出量の比率が所定値を超えた場合に、比率が所定値を超えない場合よりも水素貯蔵部１１０に印加する単位時間あたりの電流を増加させる制御を行う。これにより、水素貯蔵部１１０の特性に応じた効率的な運転が可能になる。
【００３６】
一方で、制御部１２６は、運転履歴記録部１２４に記録される情報のいずれかが予め定めた安全条件に対応する場合に、水素製造部１０６の水素製造を停止させる制御を行う。例えば、制御部１２６は、水素製造部１０６における水素製造量、入力電力、入力電圧、入力電流、及び、水素製造部１０６が稼働している割合を示す負荷割合の内の少なくとも一つが所定値を超えた場合に、水素製造部１０６の運転を停止させる制御行う。これにより、水素エネルギーシステム１のより安全な運転が可能になる。また例えば、制御部１２６は、水素発電部１１２における発電電力の低下率、発電電力、負荷割合の内の少なくとも一つが所定値を超えた場合に、水素発電部１１２の運転を停止させる制御を行う。これにより、水素エネルギーシステム１のより安全な運転が可能になる。
【００３７】
以上が一実施形態に係る水素エネルギーシステム１の構成例の説明であるが、以下に制御部１２６の制御動作例を説明する。
【００３８】
図４は、水素エネルギーシステム１の試運転期間における水素製造部１０６の運転特性を示す図である。ここでは、水素エネルギーシステム１の組み立てが行われ、各種の調整が行われている試運転期間における運転特性を説明する。試運転期間は、水素製造部において入力電力に対する水素製造量の調整を行う。このため、試運転期間では、水素製造部１０６の入力電力又は入力電圧と、水素製造量との関係が求められる。このように、水素エネルギーシステム１では、各種のデータの取得を行いながら、運転調整が行われる。
【００３９】
図４の上図は、水素製造部１０６に入力される電力量を示している。横軸は時間を示し、縦軸は電力量を示している。また、図４の下図は、水素製造部１０６の水素製造量を示している。横軸は時間を示し、縦軸は水素製造量を示している。
【００４０】
ここで、調整期間は、各種配管に配置される弁の開度などの調整を行ったり、電力量の変更に対する水素製造量の変動データを取得したりする期間である。休止期間は、水素製造を停止する期間である。
【００４１】
また、テスト期間は、水素製造部１０６の特性を示すデータを取得するための期間である。このテスト期間では、所定電力又は所定電圧を水素製造部１０６に供給する。例えばテスト期間で得られた情報に基づき、上述の評価値が演算される。なお、図４では、水素製造部１０６に関して説明したが、水素発電部１１２、及び水素貯蔵部１１０などにも同様に調整期間、休止期間、テスト期間が設けられ、各種の調整、データ取得が行われる。これらの試運転期間内のデータも、休止時間を含めた運用データとして運転履歴記録部１２４に記録される。
【００４２】
図５は、テスト期間の頻度を示す図である。横軸は時間を示し、縦軸は、テスト期間の頻度を示している。ここでの頻度は、例えば１０日間に、テスト期間を設けた回数を示している。また、実運転期間は、ユーザが実際に水素エネルギーシステム１の運転を行っている期間を示している。すなわち、実運用期間では、外部の電力供給源８、酸素供給源６、熱供給源４のそれぞれに電力、酸素、熱の供給が行われる。このように、実運転期間においても、テスト期間を設けることで、水素エネルギーシステム１の特性を示す評価値をより正確に取得可能である。これにより、水素エネルギーシステム１の特性を示す評価値を時系列に取得し、把握することが可能である。
【００４３】
一方で、試運転期間では、水素エネルギーシステム１における特性の経時的な変化の情報をより多く取得し、水素エネルギーシステム１の特性をより正確に評価すために、テスト期間を向ける頻度が実運転期間よりも高くなっている。
【００４４】
以上のように本実施形態では、運転履歴記録部１２４が、水素製造部１０６、水素貯蔵部１１０及び水素発電部１１２それぞれの特性を示す情報を時系列に記録することとした。これにより、水素エネルギーシステム１における性能についての提示をより容易に行うことが可能になる。
【００４５】
本実施形態による水素エネルギーシステム１は、水素発電部１１２を除いた構成でもよい。その場合、運転履歴記録部１２４は水素製造部１０６及び水素貯蔵部１１０それぞれの特性を示す情報を時系列に記録する。また、水素貯蔵部１１０及び水素発電部１１２を除いた構成でもよい。その場合、運転履歴記録部１２４は水素製造部１０６の特性を示す情報を時系列に記録する。
【００４６】
本実施形態による水素エネルギーシステム１におけるデータ処理方法の少なくとも一部は、ハードウェアで構成してもよいし、ソフトウェアで構成してもよい。ソフトウェアで構成する場合には、データ処理方法の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク部やメモリなどの固定型の記録媒体でもよい。また、データ処理方法の少なくとも一部の機能を実現するプログラムを、インターネット等の通信回線（無線通信も含む）を介して頒布してもよい。さらに、同プログラムを暗号化したり、変調をかけたり、圧縮した特性で、インターネット等の有線回線や無線回線を介して、あるいは記録媒体に収納して頒布してもよい。
【００４７】
以上、いくつかの実施形態を説明したが、これらの実施形態は、例としてのみ提示したものであり、発明の範囲を限定することを意図したものではない。本明細書で説明した新規な部、方法及びプログラムは、その他の様々な形態で実施することができる。また、本明細書で説明した部、方法及びプログラムの形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【図１】
0006731070.tif 000002
【図２】
0006731070.tif 000003
【図３】
0006731070.tif 000004
【図４】
0006731070.tif 000005
【図５】
0006731070.tif 000006